(57)【要約】【課題】外出中の居住者が、他の居住者の帰宅を知ることが出来るインターホンシステムを提供する。【解決手段】  インターホンシステムは、玄関扉の近傍などに設置されるドアホン子器２と、屋内に設置され子器２との間で通話を行うインターホン親機１と、無線通信により映像信号を親機１に送信するセンサーカメラ３とを備える。また、親機１からの開錠信号に基づいて玄関扉に設置された電気錠５の開閉を制御する電気錠操作機４を備え、電気錠操作機４は、電気錠５からのセンサ入力に応じて居住者の帰宅を検知し、帰宅検知信号を親機１に送信する。親機１は、帰宅検知信号を受信すると、センサーカメラ３が撮像した画像を含む電子メールを、広域通信網ＷＡＮ及びメールサーバ６を介して、携帯電話機７に送信する。【選択図】図１
2011155416.tif 000002
【特許請求の範囲】
【請求項１】
宅外に設置されるドアホン子器と、
宅内に設置され、音声信号を授受することにより前記ドアホン子器との間で通話可能なインターホン親機と、
玄関扉の周辺を含む所定の撮像エリアを撮像するカメラと、
前記玄関扉に設置される電気錠と、
前記電気錠の開錠に応じて居住者の帰宅を検知して帰宅検知信号を前記インターホン親機に出力する帰宅検知手段と、
画像を含む所定の通知メッセージを、広域通信網に接続された所定の送信先に送信する通知手段とを備え、
前記インターホン親機は、前記帰宅検知手段から帰宅検知信号が入力されると、前記カメラに撮像させた映像を前記通知手段から前記所定の送信先に送信させることを特徴とするインターホンシステム。
【発明の詳細な説明】
【技術分野】
【０００１】
本発明は、インターホンシステムに関するものである。
【背景技術】
【０００２】
従来より、宅外に設置されたドアホン子器と宅内に設置されたインターホン親機との間で、音声信号を送受信して音声による通話を行うインターホンシステムがある。この種のインターホンシステムとして、ドアホン子器や玄関の近傍などにカメラを設置し、ドアホン子器からの呼出し操作に連動してカメラを起動させ、カメラにより撮像された画像をインターホン親機に表示するようにしたインターホンシステムもある。
【０００３】
また近年、防犯に対する関心が高まっており、例えば窓の開閉を検知する開閉検知センサなど、種々のセキュリティセンサを設置し、セキュリティセンサによる異常検出と連動するインターホンシステムも提案されている（例えば、特許文献１を参照）。特許文献１に記載のインターホンシステムは、インターホン親機に接続されたセキュリティセンサが異常を検知すると、インターホン親機に接続されたカメラで周囲の映像を撮像し、インターホン親機に映像を表示及び記憶している。これにより、居住者はセキュリティセンサが異常を検知した時点における周囲の映像を確認することができ、防犯に役立てることができる。
【先行技術文献】
【特許文献】
【０００４】
【特許文献１】特開２００４−１３５２００号公報
【発明の概要】
【発明が解決しようとする課題】
【０００５】
ところで、防犯に対する関心の高まりに伴い、外出中の居住者は、子供などの他の居住者が安全に帰宅したかどうかを知りたいという要求がある。ここで、上述したインターホンシステムでは、異常を検知した際に広域通信網などを介して居住者が携帯する携帯端末などに向けて、異常の検知を通知することは可能である。しかしながら、他の居住者が帰宅した際には、セキュリティセンサによる異常検出を停止して宅内に入るためセキュリティセンサによる異常検出は行われず、結果として居住者が他の居住者の帰宅を知ることは出来なかった。
【０００６】
本発明は、上記事由に鑑みて為されたものであり、その目的とするところは、居住者が外出している際に、他の居住者が帰宅したかどうかを知ることが出来るインターホンシステムを提供することにある。
【課題を解決するための手段】
【０００７】
上記目的を達成するために、請求項１の発明では、宅外に設置されるドアホン子器と、宅内に設置され、音声信号を授受することにより前記ドアホン子器との間で通話可能なインターホン親機と、玄関扉の周辺を含む所定の撮像エリアを撮像するカメラと、前記玄関扉に設置される電気錠と、前記電気錠の開錠に応じて居住者の帰宅を検知して帰宅検知信号を前記インターホン親機に出力する帰宅検知手段と、画像を含む所定の通知メッセージを、広域通信網に接続された所定の送信先に送信する通知手段とを備え、前記インターホン親機は、前記帰宅検知手段から帰宅検知信号が入力されると、前記カメラに撮像させた映像を前記通知手段から前記所定の送信先に送信させることを特徴とする。
【発明の効果】
【０００８】
請求項１の発明によれば、帰宅検知手段が居住者の帰宅を検知すると、インターホン親機が玄関扉の周囲を含む撮像エリアをカメラに撮像させ、この撮像した画像を含む通知メッセージが予め設定された送信先に通知手段から送信される。これにより、通知メッセージを受信した外出中の居住者は、他の居住者が帰宅したことを外出先から知ることができる。
【図面の簡単な説明】
【０００９】
【図１】本発明の実施の形態にかかるインターホンシステムを示す概略構成図である。
【図２】同インターホンシステムを示す概略ブロック図である。
【図３】同インターホンシステムの動作を説明するためのフロチャート図である。
【図４】同インターホンシステムに用いられる携帯電話の画面例を示す概略図である。
【発明を実施するための形態】
【００１０】
以下に本発明の実施の形態を図１〜４に基づいて説明する。
【００１１】
本実施の形態にかかるインターホンシステムは、図１及び図２に示すとおり、玄関扉の近傍などに設置されるドアホン子器（以下、子器と略す。）２と、屋内に設置され子器２との間で通話を行うインターホン親機（以下、親機と略す。）１とを備える。また、本インターホンシステムは、無線通信により映像信号を親機１に送信するセンサーカメラ（以下、カメラと略す。）３と、親機１からの施錠信号及び開錠信号に基づいて玄関扉に設置された電気錠５の開閉を制御する電気錠操作機４を備える。
【００１２】
親機１は、図２に示すとおり、親機１全体を統括的に制御するＣＰＵ１１と、子器２からの呼出に応答する際に操作する通話ボタン１４とを備える。親機１は、例えば液晶ディスプレイからなる表示部１５と、カメラ３などから受信した映像信号を復調して表示部１５に静止画像や動画を表示する映像処理部１６とを備える。また親機１は、無線ＬＡＮに関する規格（例えば、IEEE 802.11諸規格）に準拠した無線通信を行う無線信号送受信部１７を備え、カメラ３及び電気錠操作機４との間で無線による通信信号の授受を行う。ここで授受される通信信号としては、カメラ３が撮像する映像を取得するための映像要求信号、カメラ３で撮像された映像を含む映像信号がある。また、電気錠操作機４に電気錠５を施錠及び開錠させるための施錠信号及び開錠信号や、電気錠５が施錠状態か開錠状態の何れであるかを示す開錠信号などがある。
【００１３】
また親機１は、スピーカ１９、マイク２０、及び、子器２からの音声信号を復調してスピーカ１９から音声を出力するとともに、マイク２０から入力される音声を変調して音声信号として出力する音声処理部１８を備える。ＣＰＵ１１は、子器２の呼出操作に応じてスピーカ１９から呼出音を出力し、居住者に来訪者からの呼び出しを報知する。居住者が呼出音に気付き、親機１の通話釦１４を操作すると、子器２と親機１との間で音声信号の授受が開始され、子器２に設けられたスピーカ（図示せず）及びマイク（図示せず）と、親機１のスピーカ１９及びマイク２０を用いてインターホン通話を行う。なお、親機１と子器２との間のインターホン通話機能の詳細な動作及び仕組みについては、従来周知の技術であるので詳細な説明は省略する。
【００１４】
カメラ３は、玄関扉の周囲が撮像エリアとなるよう玄関の天井付近などに設置されており、例えば商用電源からの電力供給により動作し、親機１からの制御信号に応じて動作する。またカメラ３は、例えばＣＣＤ（Charge Coupled Device）などの撮像素子からなる撮像部３１と、撮像部３１からの映像信号を変調する映像処理部３２と、無線ＬＡＮに関する規格に準拠した無線通信を行う無線信号送受信部３３とを備える。ここでカメラ３は、親機１が送信した映像要求信号を受信すると、撮像部３１により周囲の撮像を開始させ、撮像部３１が撮像した映像を映像処理部３２に変調させ、無線信号送受信部３３に映像信号として親機１に送信させる。これにより親機１は、映像要求信号を送信した時点における玄関扉周辺の映像を取得することができ、受信した映像信号を映像処理部１６が復調して、例えば液晶ディスプレイからなる表示部１５に表示する。
【００１５】
電気錠操作機４は、電気錠操作機４全体を統括的に制御するＣＰＵ４１と、親機１との間で無線通信を行う無線信号送受信部４２と、電気錠５の施錠・開錠を行う電気錠駆動部４３とを備える。また電気錠操作機４の全面パネルには、電気錠５を施錠・開錠させるための操作スイッチ（図示せず）や電気錠５の施錠・開錠状態を示すＬＥＤなどが配置されており、居住者はＬＥＤの表示を確認して電気錠５の施錠・開錠を行う。また電気錠操作機４のＣＰＵ４１は、電気錠５が開錠され、電気錠５に設けられた施開錠感知センサ５１からのセンサ入力に応じて、居住者の帰宅を検知し、帰宅検知信号を無線信号送受信部４２を介して親機１に送信する。また、開錠操作機４は、親機１から送信された施錠信号若しくは開錠信号を受信すると、電気錠駆動部４３を用いて電気錠５を施錠若しくは開錠させる。
【００１６】
携帯電話機７は、例えばＷ−ＣＤＭＡ（Wideband Code Division Multiple Access）方式の携帯電話機であり、スピーカ、マイク、液晶ディスプレイ、操作ボタンを備えている。携帯電話機７は、携帯電話事業者が提供する基地局との間で、無線による通信を行い、予め割り当てられた固有の電話番号に基づいて、他の携帯通話端末や家庭用電話機との間で通話する携帯電話機能を備える。また携帯電話機７は、携帯電話事業者が提供する基地局を介して広域通信網ＷＡＮに接続されており、メールサーバ６に届いた電子メールを取得し、電子メールに含まれる文字情報や画像を液晶ディスプレイに表示する電子メール機能を備える。なお、携帯電話機能及び電子メール機能については、従来周知の技術であるので詳細な説明を省略する。
【００１７】
ここで親機１は、例えばＥＥＰＲＯＭ（Electical Erasable Programanle ROM）などの不揮発性のメモリからなるメモリ１２と、例えばインターネットなどの広域通信網ＷＡＮに接続するためのイーサネット（登録商標）コントローラ１３とを備えている。親機１は、電気錠操作機４から帰宅検知信号が入力されると、メモリ１２に記録された送信先アドレスに向けて、広域通信網ＷＡＮ上に設けられたメールサーバ６を経由して電子メールを送信する。電子メールには、現在時刻を示す時刻情報を含む通知メッセージと、カメラ３により撮像された玄関扉周辺の映像を含む画像とが含まれる。送信先アドレス及び通知メッセージは、予め居住者によって設定されており、送信先アドレスを居住者が携帯する携帯電話機７に設定された電子メールアドレスに設定することで、電子メールが携帯電話機７に送信される。
【００１８】
ここで、居住者が携帯電話機７を携帯して外出し、他の居住者が帰宅した際の動作について、図３のフロチャートを用いて説明する。なお、以下の説明においては、親機１のメモリ１２には、送信先アドレスとして携帯電話機７に設定された電子メールアドレスが設定されているものとして説明を行う。
【００１９】
まず、外出していた居住者が帰宅し、ＩＤタグやＩＣカードをリーダに読み取らせて、電気錠５の開錠操作を行うと（ステップＳ１）、電気錠５に設けられた施開錠感知センサ５１が開錠を感知して、電気錠操作機４が電気錠５の開錠を検知する（ステップＳ２）。開錠を検知した電気錠操作機４は、無線信号送受信部４２により帰宅検知信号を親機１に送信する（ステップＳ３）。帰宅検知信号を受信した親機１のＣＰＵ１１は、カメラ３に映像要求信号を無線信号送受信部１７により送信する（ステップＳ４）。カメラ３は、受信した映像要求信号に応じて、撮像部３１により玄関扉付近を撮像し、映像処理部３２が映像信号に変調して、無線通信により親機１に送信する（ステップＳ５）。
【００２０】
親機１のＣＰＵ１１は、映像信号を受信すると、映像信号を例えばＪＰＥＧ（Joint Photographic Experts Group）などの画像フォーマットに変換し、現在の時刻情報に基づいた通知メッセージと、この画像を含む電子メールを作成する。次にＣＰＵ１１は、作成した電子メールを、メモリ１２に記憶された送信先アドレスである携帯電話機７の電子メールアドレスを宛先として、広域通信網ＷＡＮを介してメールサーバ６に送信する（ステップＳ６）。その後、携帯電話機７がメールサーバ６に受信メールの問い合わせを行うことで、携帯電話機７はメールサーバ６から電子メールを受信して、図４に示すように、携帯電話機７の液晶ディスプレイに通知メッセージ及び画像を表示する（ステップＳ７）。
【００２１】
このようにして、外出中の居住者は、他の居住者が帰宅したことを携帯電話機７で受信した電子メールにより知ることができ、また、電子メールに含まれる他の居住者が帰宅した際の玄関扉の映像を示す画像によって、誰が帰宅したのかを知ることができる。
【００２２】
なお、本実施の形態においては、送信先アドレスとして携帯電話機７に設定された電子メールアドレスを用いて説明したが、遠隔地のＰＣなどに設定された電子メールアドレスなど他の宛先アドレスを設定してもよい。
【００２３】
また、本実施の形態においては、居住者に通知する方法として電子メールを用いたが、これは通知方法を限定するものではなく、外出中の居住者が画像を確認できるような手段であればよい。
【符号の説明】
【００２４】
１          インターホン親機（親機）
２          ドアホン子器（子器）
３          カメラ
４          電気錠操作機（帰宅検知手段）
５          電気錠
６          メールサーバ
７          携帯電話機
ＷＡＮ      広域通信網
【図１】
2011155416.tif 000003
【図２】
2011155416.tif 000004
【図３】
2011155416.tif 000005
【図４】
2011155416.tif 000006